(57)【要約】  パッケージ（１０）は、硬質ベース部材（１２）および周囲フランジ表面によって画定される。可撓性蓋部材（１６）は、フランジ（１４）にヒートシールされる。蓋部材は、フランジに固定された周囲部分を有する第１の層（１８）と、第１の層に接着された第２の層（２０）とを含む。接着剤層（２２）は、永久接着剤中央部分（２６）と、フランジと重なる周囲感圧接着剤部分（２４）とを含む。中央スコアライン（２８）は、第１の層内に設けられ、中央接着剤部分を取り囲む。タブ部分（３８）は蓋部材の周囲部分の一部として形成され、第１の層の固定された周囲部分に直接隣接する第１の層に形成された縁部スコアライン（４０）を含む。
2020536814.tif 000002
【特許請求の範囲】
【請求項１】
内部にアイテムを受け入れるように構成された空洞を画定する硬質ベース部材であって、前記ベース部材が周囲フランジ表面を有する、硬質ベース部材と、
前記フランジの周囲部分に係合し、前記ベース部材内の前記空洞を覆うように構成された可撓性蓋部材とを含み、前記蓋部材が、
第１の層であって、前記第１の層が、前記ベース部材の前記フランジに固定される第１の層の周囲部分を有する、第１の層と、
前記第１の層に接着された第２の層と、
前記第１の層を前記第２の層に接着するための接着剤層であって、前記接着剤層が、
パターンが適用された永久接着剤中央部分であって、前記中央接着剤部分が前記蓋部材の前記周囲部分から内側に間隔を置いて配置された、中央接着剤部分と、
前記中央接着剤部分を取り囲み、前記ベース部材の前記フランジと重なる周囲感圧接着剤部分であって、前記周囲接着剤部分が、前記ベース部材から前記蓋部材を剥離開封する間に、前記第２の層が前記第１の層から少なくとも部分的に分離することを可能にするように構成された、周囲感圧接着剤部分とを有する、接着剤層と、
前記第１の層内の中央スコアラインであって、前記中央スコアラインが前記中央接着剤部分を取り囲み、前記中央スコアラインは、前記蓋部材の剥離開封中に、前記第１の層の前記固定された第１の層の周囲部分が前記蓋部材から分離することを可能にする、中央スコアラインと、
前記蓋部材の周囲部分の一部として形成されたタブ部分であって、前記タブ部分は前記第１の層に形成された縁部スコアラインを有し、前記スコアラインの位置は前記第１の層の前記固定された周囲部分に直接隣接する、タブ部分と
を有し、
前記タブ部分が前記蓋部材の剥離を開始すると、前記第２の層が前記縁部スコアラインと前記中央スコアラインとの間の前記第１の層から分離し、前記周囲接着剤部分を露出させ、
前記露出した周囲接着剤部分が、前記第１の層の前記周囲部分に対する前記第２の層の選択的な再密閉と、前記ベース部材の前記空洞の閉鎖とを可能にするパッケージ。
【請求項２】
前記縁部スコアラインが、前記フランジに固定されている前記第１の層の部分と重なる、請求項１に記載のパッケージ。
【請求項３】
前記縁部スコアラインが、前記フランジに固定されている前記第１の層の部分に対して少なくとも０．１２５インチ、かつ０．３７５インチ以下に配置される、請求項１に記載のパッケージ。
【請求項４】
前記縁部スコアラインが複数の平行なスコアラインを含む、請求項１に記載のパッケージ。
【請求項５】
前記縁部スコアラインが２つの平行な縁部スコアラインを含む、請求項１に記載のパッケージ。
【請求項６】
前記蓋部材が、前記接着剤層と前記第２の層との間に配置されたインク層をさらに含む、請求項１に記載のパッケージ。
【請求項７】
前記蓋部材が、前記第１の層の前記周囲部分を前記フランジにヒートシールすることによって前記フランジに固定されている、請求項１に記載のパッケージ。
【請求項８】
前記蓋部材の前記第１の層および前記第２の層が、ＰＥＴ材料製である、請求項１に記載のパッケージ。
【請求項９】
前記ベース部材がＡＰＥＴ材料から形成されている、請求項１に記載のパッケージ。
【請求項１０】
内部にアイテムを受け入れるように構成された空洞と周囲フランジ表面とを有する硬質ベース部材にヒートシールするように形成された可撓性蓋部材であって、前記蓋部材が、
第１の層であって、前記第１の層が第１の層の周囲部分を有する、第１の層と、
前記第１の層に接着された第２の層と、
前記第１の層を前記第２の層に接着するための接着剤層であって、前記接着剤層が、
パターンが適用された永久接着剤中央部分であって、前記中央接着剤部分が前記第１の層の周囲部分から内側に間隔を置いて配置された、中央接着剤部分と、
前記中央接着剤部分を取り囲む周囲感圧接着剤部分であって、前記周囲接着剤部分が、前記蓋部材の剥離中に前記第２の層が前記第１の層から少なくとも部分的に分離することを可能にするように構成された、周囲感圧接着剤部分と
を有する、接着剤層と、
前記第１の層内の中央スコアラインであって、前記中央スコアラインが前記中央接着剤部分を取り囲み、前記中央スコアラインは、剥離中に前記第１の層の前記固定された第１の層の周囲部分が前記蓋部材から分離することを可能にする、中央スコアラインと、
前記第１の層に形成された縁部スコアラインを有するタブ部分であって、前記スコアラインの位置が、前記ベース部材の前記フランジにヒートシールされる前記第１の層の部分に直接隣接する、タブ部分と
を含み、
前記タブ部分が前記蓋部材の剥離を開始すると、前記第２の層が前記縁部スコアラインと前記中央スコアラインとの間の前記第１の層から分離し、前記周囲接着剤部分を露出させ、
前記露出した周囲接着剤部分が、前記第１の層の周囲部分に対する前記第２の層の選択的な再密閉と、前記ベース部材の前記空洞の閉鎖とを可能にする、可撓性蓋部材。
【請求項１１】
前記縁部スコアラインが、複数の平行なスコアラインを含む、請求項１０に記載の可撓性蓋材。
【請求項１２】
前記縁部スコアラインが２つの平行な縁部スコアラインを含む、請求項１０に記載の可撓性蓋材。
【請求項１３】
前記接着剤層と前記第２の層との間に配置されたインク層をさらに含む、請求項１０に記載の可撓性蓋材。
【請求項１４】
前記第１の層が、前記ベース部材の前記フランジと適合するヒートシールである、請求項１０に記載の可撓性蓋材。
【請求項１５】
前記蓋部材の前記第１および第２の層が、ＰＥＴ材料製である、請求項１に記載の可撓性蓋材。
【発明の詳細な説明】
【技術分野】
【０００１】
本開示は、一般に、製品のパッケージと共に使用するための蓋材に関する。好ましい形態のパッケージは、ベース部材と、ベース部材の上部リムに取り付けられた蓋材とを有する。蓋材は、好ましくは複数の層から形成され、パッケージの内容物の漏れを防止または最小限にしながら容易に開封するための特徴部を含む。
【背景技術】
【０００２】
比較的硬質のベース部材を閉鎖するための可撓性フィルムベースの材料の使用が知られている。そのようなパッケージには、パッケージの内容物にアクセスを提供するためにベース部材から剥離することができる多層可撓性フィルム製またはラミネート製の蓋部材を備えた硬質プラスチックのタブまたはトレイ、複合缶、硬質紙箱または他の容器が含まれ得る。場合によっては、剥離可能部分が残りのパッケージに再接着するように設計されて、開封されたパッケージの未使用の内容物を保管するための再閉鎖機能を提供することができる。
【０００３】
国際公開第２０１６−１３３９０４号明細書は、パッケージの内部へのアクセスを提供するための開口部フラップを規定するために使用されるパターン化された接着剤およびスコアラインパターンを有する多層フィルム構造を示す。フィルムは、分離領域を規定するスコアラインで容器基部のフランジにヒートシールされる。
【０００４】
米国特許第４，２６０，０６１号明細書は、密閉された袋を開封するための取り外し可能なフラップを規定するために使用されるパターン化されたＰＳＡおよび永久接着剤を使用した密閉可能な袋構造を示す。
【０００５】
米国特許第６，３８３，５９２号明細書は、袋壁の一部分にパターン化された接着剤を使用した可撓性フィルムの袋を示す。取り外し可能なステッカー部分は、接着剤パターンのＰＳＡ部分に隣接する袋壁の１つの層から切断される。
【０００６】
米国特許第７，７１７，６２０号明細書は、密閉されたパッケージを開封するための取り外し可能なフラップを規定するために使用されるパターン化されたＰＳＡおよび永久接着剤を備えたパッケージを形成する多層フィルム構造を示す。
【０００７】
米国特許第２０１６／０１５９５４７号明細書は、ベース部材のリムに対する蓋の再密閉時にチャネリングをブロックする、可撓性蓋の上に強化された周囲を備えた再密閉可能な可撓性パッケージを示す。
【発明の概要】
【０００８】
本開示は、内部にアイテムを受け入れるように構成された空洞を画定するベース部材を有し、またベース部材の外縁部を画定し、かつ空洞を取り囲むフランジを含むパッケージに関する。蓋部材は、ベース部材のフランジに取り付けられるように構成され、空洞を覆って内部にアイテムを維持する。さらに、蓋部材は、ベース部材のフランジから剥離されて空洞へのアクセスを提供するように構成され、またフランジに再密閉されるように構成される。蓋部材は、ベース部材のフランジと係合するように構成された第１の層と、接着剤層を介して第１の層に積層された第２の層とを含む。接着剤層は、ベース部材のフランジと整列する周囲を形成する、パターンが適用された感圧接着剤を含む。接着剤層の中央部分は、永久接着剤によって形成され、第１の層を第２の層に固定して維持するように構成されている。第１の層のスコアラインは、接着剤層の永久接着剤部分の少なくとも一部分を取り囲んでいる。第２の層は、蓋部材の少なくとも一部分がベース部材から剥離されると、第１の層から分離するように構成され、感圧接着剤部分は、スコアラインの外側で第１の層の周囲を第２の層から分離することを可能にする。アンダーカットされたスコアラインは、ベース部材のフランジに対する蓋のヒートシールに直接隣接する位置でタブに隣接して設けられる。
【０００９】
本開示はまた、ベース部材の保持空洞内にアイテムを密閉するためにベース部材のフランジに取り付けられるように構成された可撓性かつ多層の蓋材に関する。蓋部材は、ベース部材にヒートシールされた後、フランジから少なくとも部分的に剥離され、その後フランジに再密閉されるように構成される。蓋材は、下層または第１の層と、第２の層または上層とを含み、これら２つは接着剤層を介して互いに積層されている。接着剤層は、周囲を形成する、パターンが適用された感圧接着剤を含み、パターンは企図されるベース部材のフランジと整列している。接着剤層の中央部分は永久接着剤によって形成され、第１の層の中央部分を第２の層に固定して維持するように構成されている。スコアラインは第１の層に設けられ、接着剤層の永久接着剤部分の少なくとも一部分を取り囲む。第２の層は、蓋部材の少なくとも一部分が剥離されると、第１の層の周囲部分から分離するように構成される。感圧接着剤部分は、スコアラインの外側で第１の層の周囲を第２の層から分離することを可能にする。ヒートシール領域に直接隣接する位置に、１つ以上のアンダーカットされた縁部スコアラインが設けられている。突出するタブ部材は、縁部スコアラインの外側に設けられている。形成された蓋材は、必要に応じて切断され容器に適用されてもよい。
【００１０】
本発明の他の特徴および特徴の組み合わせは、添付の図面と併せて以下の詳細な説明から明らかになるであろう。
【図面の簡単な説明】
【００１１】
図面は、本発明を例示する目的で、現在好ましい１つ以上の形態を示す。本開示および請求される発明は、図面に示される正確な配置および手段に限定されないことを理解されたい。
【００１２】
【図１】本開示による蓋材を有するパッケージの等角側面図を示す。
【図２】図１のパッケージの組み合わせの等角側面図であり、蓋材の一部分がパッケージから分離されているところを示す。
【図３】図１の線４−４に沿って切り取ったパッケージの組み合わせの断面図である。
【図４】パッケージに取り付けられた蓋材の一部分の拡大断面図を示す。
【図５】本開示による蓋材を有するパッケージの代替の実施形態の等角側面図を示す。
【図６】図５のパッケージの組み合わせの等角側面図であり、蓋材の一部分がパッケージから分離されているところを示す。
【図７】図５および図６のパッケージの蓋の平面図である。
【図８】パッケージのベースに取り付けられた蓋材の一部分の拡大図を示す。
【発明を実施するための形態】
【００１３】
図では、同様の数字が同様の要素を識別しており、数字１０によって識別されるパッケージまたはコンテナの実施形態が示されている。図１に示すように、パッケージ１０は、内部にアイテムを受け入れるように構成された空洞を画定する比較的硬質のベース部材１２を含む。フランジ１４は、ベース部材の外縁部またはリムを画定し、空洞を取り囲む。可撓性ウェブ材料で形成された蓋部材１６は、ベース部材１２のフランジ１４に取り付けられており、内部にアイテムを維持するために空洞を覆う。図２に示すように、蓋部材１６は、空洞へのアクセスを提供するために、ベース部材１２のフランジ１４から剥離されるように構成されている。蓋部材１６は、第１の層または下層１８と、第２の層または上層２０と、上層２０を下層１８に固定するための接着剤層２２とを含む。下層１８は、ベース部材１２のフランジ１４と係合し、固定されている。下層１８は、好ましくは、フランジ１４の上面にヒートシールされて、永久的な結合を形成している。
【００１４】
図３および図４を参照すると、接着剤層２２は、ベース部材１２のフランジ１４と整列する周囲を形成する、パターンが適用された感圧接着剤２４を含む。接着剤層２２の中央部分は、永久接着剤２６によって形成され、第１の層１８を第２の層２０に固定して維持するように構成される。第１の層１８のスコアライン２８は、接着剤層２２の永久接着剤２６の少なくとも一部分を取り囲んでいる。インク層３０は、第２の層２０の底面または下側面に設けられている。第１の層１８の底面または下側面の一部分は、フランジ１４の上面にヒートシール３２される。
【００１５】
図２に示すように、第２の層２０は、第１の層１８の周囲部分３４から分離するように構成され、ベース部材１２のフランジ１４から剥離され得る。第１の層１８の周囲部分３４は、フランジ１４にヒートシール３２される部分である。感圧接着剤２４は、第２の層が剥離されるときに第１の層から分離する。第１の層１８の中央部分３６は、スコアライン２８の位置で周囲部分３４から分離する。中央部分３６は、永久接着剤２６によって第２の層２０に固定されたままであり、第２の層２０と共に剥離される。露出した感圧接着剤２６は、第２の層２０を第１の層１８の周囲部分３４に再密閉して、ベース部材１２の空洞内の内容物を再固定することを可能にする。
【００１６】
蓋材１６のタブ部分３８は、ベース部材１２のフランジ１４の外縁部を越えて延在するものとして示されている。底縁部スコアライン４０は、第１の層１８に設けられている。スコアライン４０は、ヒートシール３２に隣接して示されている。開封中、ユーザはタブ３８をつかんで蓋材１６の剥離および分離を開始する。第１の層１８の一部分は、タブ３８の領域で第２の層または上層２０に固定されたままである。第１の層の周囲部分３４は、縁部スコアライン４０で第２の層から分離し始める。第２の層は、パッケージ１０から完全に取り外されてもよいし、その一部が感圧接着剤２４によって第１の層１８の周囲部分３４に固定されたままであってもよい。
【００１７】
図５〜図８には、パッケージ１１０のさらなる実施形態が示されている。ベース部材１１２は、ほぼ長方形の形態で構成される複数の側壁を有する。周囲フランジ１１４は、側壁から外向きに突出し、連続したリム表面を形成する。蓋材１１６は、フランジ１１４に取り付けられて、ベース部材１１２によって形成された空洞を密閉する。図６では、蓋材１１６は、空洞が露出するように部分的に剥離されて示されている。タブ１３８は、ベース部材１１２の側壁によって形成される角部に隣接して、蓋材１１６の１つの角部１４２に形成されている。
【００１８】
図７では、蓋材の上面が、構造要素が露出した状態で示されている。蓋材１１６は、フランジ１１４にヒートシール１３２される。内部スコアライン１２８は、ヒートシール１３２の内側に設けられている。スコアライン１３８は、タブ角部１４２から実質的にフランジ１１４の内周の周りに延在するが、反対側の角部１４４では接続しない。スコアライン１３８は、図６に示すように、剥離時に、第１の層１１８の中央部分１３６の周囲部分１３４からの分離を形成する。図１〜図４の実施形態と同様に、周囲部分１３４はフランジ１１４にヒートシール１３２され、パターンが適用された感圧接着剤１２４によって上層または第２の層１２０に固定される。第１の層１１８の中央部分１３６に隣接する蓋材１１６の中央の２つの層１１８、１２０の間には、永久接着剤が設けられる。
【００１９】
剥離角部１４２では、蓋材１１６の縁部がヒートシール１３２を越えて突出して、タブ１３８を形成する。２つの平行なスコアライン１４０が、第１の層１１６の下側に形成される。スコアライン１４０は湾曲しており、ベース部材１１２の角部１４２でフランジ１１４に隣接するヒートシール領域１３２と部分的に重なっている。ヒートシールの適用は、蓋材に適用され、かつベース部材の空洞を充填した後に行われると考えられる。
【００２０】
図３および図４の縁部スコアライン１４０などの単一のアンダーカットは、蓋材１６、１１６の層の剥離開封を可能にするのに十分である。単一のカットの方がより容易に達成される可能性がある。しかしながら、図７および図８に示すような平行なスコアライン１４０など、複数のアンダーカットを設けることができ、ヒートシール３２、１３２との位置ずれに対応し得る。好ましくは、縁部スコアラインは、ベース部材のフランジに対する蓋周囲のヒートシールの０．１２５〜０．３７５インチ以内にあるべきである。図示のように、スコアラインはヒートシール領域と重なってもよい。ヒートシールからさらに離れた位置に配置されると、タブが層を適切に剥離しない可能性がある。すべてのスコアラインは、レーザ、機械的手段またはその他の手段で実行され得る。レーザ微小穿孔プロセスが好ましい。この形態のスコアリングは、蓋の中央部分でパターンを適用した永久接着剤と整合させるとより容易に達成され得る。スコアリングは、好ましくは層の取り付け後に行われ、好ましくは第１の層を通って延在する。
【００２１】
示されている両方の実施形態において、蓋材の最終的なトリムは、ベース部材の空洞に製品を充填し、フランジに対して蓋材をヒートシールで取り付けした後に達成され得る。この最終的なトリムは蓋層の周縁部を切断し、パッケージの最終的な上部ダイカットを必要としない。
【００２２】
蓋材の中央領域に永久接着剤を設けることにより、中央領域の明瞭さが改善される。したがって、容器内の製品の目視検査を可能にするために透明を使用してもよい。インク層は、蓋の中央領域にわたって連続している必要はない。一般に、インクまたはグラフィックスは、選択される接着剤と化学的に適合する。防曇コーティングをプライマ材料と共に層に適用してもよい。
【００２３】
企図される一実施形態では、蓋材は、９２ゲージＰＥＴの第１の層または下層と、１００ゲージＰＥＴの第２の層または上層とを含み得る。蓋材は可撓性であり、かつインク層に適用されるグラフィックスを除いて好ましくは透明であると考えられる。容器は、蓋材と比較して比較的硬質であり、ＡＰＥＴ材料から形成され得る。第１の層の底部側に密閉剤層またはコーティングを設けて、フランジとの層のヒートシールを促進してもよい。
【００２４】
１つ以上の例示的な実施形態に関して本発明を説明および例示してきた。上記から、本発明の精神および範囲から逸脱することなく他の様々な変更、省略および追加を行うことができ、本発明の範囲は前述の特許請求の範囲によって説明されることを当業者は理解すべきである。
【図１】
2020536814.tif 000003
【図２】
2020536814.tif 000004
【図３】
2020536814.tif 000005
【図４】
2020536814.tif 000006
【図５】
2020536814.tif 000007
【図６】
2020536814.tif 000008
【図７】
2020536814.tif 000009
【図８】
2020536814.tif 000010
【国際調査報告】
2020536814.tif 000011
2020536814.tif 000012
2020536814.tif 000013